(57)【特許請求の範囲】
【請求項１】
壁等取付基体に装着される装着物から締結ボルトを延び出させて、該締結ボルトにナットを介してホルダを予め螺合しておき、その状態で該締結ボルト及び該ホルダを該取付基体の表側から取付孔を通して裏側へ挿通し、該取付基体の裏側に位置させた前記ホルダと該取付基体の表側に位置させた該装着物とで、それらが該取付基体を表裏両側から挟み付ける状態に締結するようになした取付構造であって、
前記ホルダには、前記締結ボルトの挿通孔と、該締結ボルトに螺合した前記ナットの締付力を受ける受面とを設けるとともに、該挿通孔と該締結ボルトとの間には該ホルダの該締結ボルトに対する傾動を可能とする隙間を形成し、且つ該ホルダに、常時は該ホルダを該締結ボルトに対し略直角姿勢に保持する一方、該ホルダに対して強制的な傾動力が加わったときに弾性変形して該ホルダの傾動を許容し、該傾動力が無くなると弾性復元力によって該ホルダを該締結ボルトに対して略直角姿勢に戻すばね部材を装着したことを特徴とする取付基体への装着物の取付構造。
【請求項２】
請求項１に記載の取付構造において、前記ばね部材を前記ナットとホルダとにまたがって設けてあることを特徴とする取付基体への装着物の取付構造。
【請求項３】
請求項１，２の何れかに記載の取付構造において、前記ホルダは前記取付孔よりも寸法の大きなものであることを特徴とする取付基体への装着物の取付構造。
【請求項４】
請求項１〜３の何れかに記載の取付構造において、前記挿通孔には前記ばね部材用の収容室が形成してあり、該収容室に該ばね部材を収容してあることを特徴とする取付基体への装着物の取付構造。
【請求項５】
請求項１〜４の何れかに記載の取付構造において、前記ばね部材がゴム弾性体であることを特徴とする取付基体への装着物の取付構造。
【請求項６】
請求項５に記載の取付構造において、前記ゴム弾性体から成るばね部材に前記ナットがインサートしてあり、それらが一体に固着してあることを特徴とする取付基体への装着物の取付構造。
【請求項７】
請求項１〜６の何れかに記載の取付構造において、前記取付基体が縦向きの壁であって、前記取付孔が横向きの孔であることを特徴とする取付基体への装着物の取付構造。
【請求項８】
請求項１〜７の何れかに記載の取付構造において、前記取付基体が浴槽の側壁であって、前記装着物が該側壁の内面に取り付けられる、浴水の外部循環用の循環口装置若しくはその構成部材であることを特徴とする取付基体への装着物の取付構造。
【発明の詳細な説明】
【０００１】
【発明の属する技術分野】
この発明は、浴水の外部循環用の取出口若しくは戻し口或いは取出口及び戻し口を形成する循環口装置を浴槽の側壁に取り付けるための構造等として好適な、取付基体への装着物の取付構造に関する。
【０００２】
【発明の背景】
従来、浴水の追炊きのために浴水の外部循環用の取出口若しくは戻し口或いは取出口及び戻し口を形成する循環口装置を浴槽の側壁に取り付けることが行われている。
この循環口装置を浴槽の側壁に取り付けるに際して、これを浴槽の内側から取付施工できることが望ましい。
【０００３】
そのための取付構造として図６に示すような取付構造が考えられる。
同図において２００は浴槽の側壁、２０２はその側壁２００に形成された貫通の取付孔であり、２０４は循環口装置である。
循環口装置２０４からは導管２０６が延び出しており、その先端の接続部２０８において外部配管が接続されるようになっている。
【０００４】
この循環口装置２０４からは締結ボルト２１０が延び出しており、その締結ボルト２１０によって、側壁２００の外側に位置するホルダ２１２と循環口装置２０４とが側壁２００を内外両側から（表裏両側から）挟み付ける状態に締結され、以って循環口装置２０４が側壁２００内面に取付固定されている。
尚ホルダ２１２には雌ねじ孔２１４が形成されており、締結ボルト２１０はその雌ねじ孔２１４にねじ込まれている。
【０００５】
図６（Ｂ）はこの取付構造の施工方法を示している。
図示のようにこの取付構造では、予め締結ボルト２１０にホルダ２１２を螺合しておき、その状態で全体を傾けて締結ボルト２１０及びホルダ２１２を導管２０６とともに取付孔２０２に、側壁２００の内側から外側へと挿通し、その後全体の姿勢を元に戻した上で、締結ボルト２１０を側壁２００の内側から回転操作してホルダ２１２の雌ねじ孔２１４に深くねじ込み、それらホルダ２１２及び循環口装置２０４が側壁２００を挟み付ける状態に循環口装置２０４とホルダ２１２とを強く締結する。
【０００６】
【発明が解決しようとする課題】
この取付構造では側壁２００の外側に作業者が回り込んで取付作業しなくても、側壁２００の内側から循環口装置２０４を側壁２００に取付作業でき、従って１人の作業者で循環口装置２０４の取付作業ができる利点がある。
しかしながらこの取付構造の場合、ホルダ２１２を締結ボルト２１０に対し略直角姿勢に予め螺合した状態でホルダ２１２を締結ボルト２１０とともに取付孔２０２に挿通しなければならないことから、ホルダ２１２を取付孔２０２に対し内側から外側に通過させることが簡単ではなく、作業に困難を伴うといった問題がある。
【０００７】
そこで締結ボルト２１０をホルダ２１２に直接螺合せず、ホルダ２１２を締結ボルト２１０に対し自由に傾動させるようにしておいて、そのホルダ２１２の裏側で締結ボルト２１０にナットを螺合し、ホルダ２１２を取付孔２０２に対し通過させる際にはホルダ２１２を傾動させることによって取付孔２０２を通過させ、そしてホルダ２１２が側壁２００の外側に位置したところでこれを締結ボルト２１０に対し直角となる向きに戻し、締結ボルト２１０とナットとの締付力でホルダ２１２と循環口装置２０４とにより側壁２００を挟持させるようにするといったことが考えられる。
【０００８】
しかしながらホルダ２１２を締結ボルト２１０に対し自由に傾動できるようにしておくと、取付孔２０２を通過させることは容易となるものの、その後側壁２００の外側においてホルダ２１２を締結ボルト２１０に対し略直角姿勢に再び戻した上で締結ボルト２１０による締付操作を行わなければならず、その際の作業が面倒となって取付施工性の点で必ずしも十分とは言えない。
【０００９】
以上循環口装置２０４を浴槽の側壁２００に取り付ける場合を例として説明したが、側壁２００以外の壁その他の取付基体への装着物の取付けに際しても同様の問題が生じ得る。
【００１０】
【課題を解決するための手段】
本発明はこのような課題を解決するためになされたものである。
而して請求項１の取付構造は、壁等取付基体に装着される装着物から締結ボルトを延び出させて、該締結ボルトにナットを介してホルダを予め螺合しておき、その状態で該締結ボルト及び該ホルダを該取付基体の表側から取付孔を通して裏側へ挿通し、該取付基体の裏側に位置させた前記ホルダと該取付基体の表側に位置させた該装着物とで、それらが該取付基体を表裏両側から挟み付ける状態に締結するようになした取付構造であって、前記ホルダには、前記締結ボルトの挿通孔と、該締結ボルトに螺合した前記ナットの締付力を受ける受面とを設けるとともに、該挿通孔と該締結ボルトとの間には該ホルダの該締結ボルトに対する傾動を可能とする隙間を形成し、且つ該ホルダに、常時は該ホルダを該締結ボルトに対し略直角姿勢に保持する一方、該ホルダに対して強制的な傾動力が加わったときに弾性変形して該ホルダの傾動を許容し、該傾動力が無くなると弾性復元力によって該ホルダを該締結ボルトに対して略直角姿勢に戻すばね部材を装着したことを特徴とする。
【００１１】
請求項２の取付構造は、請求項１に記載の取付構造において、前記ばね部材を前記ナットとホルダとにまたがって設けてあることを特徴とする。
【００１２】
請求項３の取付構造は、請求項１，２の何れかに記載の取付構造において、前記ホルダは前記取付孔よりも寸法の大きなものであることを特徴とする。
【００１３】
請求項４の取付構造は、請求項１〜３の何れかに記載の取付構造において、前記挿通孔には前記ばね部材用の収容室が形成してあり、該収容室に該ばね部材を収容してあることを特徴とする。
【００１４】
請求項５の取付構造は、請求項１〜４の何れかに記載の取付構造において、前記ばね部材がゴム弾性体であることを特徴とする。
【００１５】
請求項６の取付構造は、請求項５に記載の取付構造において、前記ゴム弾性体から成るばね部材に前記ナットがインサートしてあり、それらが一体に固着してあることを特徴とする。
【００１６】
請求項７の取付構造は、請求項１〜６の何れかに記載の取付構造において、前記取付基体が縦向きの壁であって、前記取付孔が横向きの孔であることを特徴とする。
【００１７】
請求項８の取付構造は、請求項１〜７の何れかに記載の取付構造において、前記取付基体が浴槽の側壁であって、前記装着物が該側壁の内面に取り付けられる、浴水の外部循環用の循環口装置若しくはその構成部材であることを特徴とする。
【００１８】
【作用及び発明の効果】
上記のように本発明は、ホルダにナットの締付力を受ける受面を設けるとともに、ホルダを締結ボルトに対し傾動可能となし、且つ常時はホルダを締結ボルトに対し略直角姿勢に保持し、ホルダに対し強制的な傾動力が加わったときに弾性変形してホルダの傾動を許容するばね部材を設けたもので、この取付構造においては、ばね部材の弾性変形によるホルダの傾動によって容易にこれを取付孔を通過させることができる。
【００１９】
而して取付孔を通過した後において、ホルダはばね部材の復元力によって当初の姿勢、即ち締結ボルトに対し略直角姿勢に戻り、従ってその後において単に締結ボルトをナットに深くねじ込むだけで、簡単にホルダと装着物とで取付基体を挟み付ける状態となすことができる。
【００２０】
即ち本発明においては、ホルダを取付孔を通過させた後においてこれを再び締結ボルトに対し略直角となる姿勢に戻すための操作を行わなくても良く、従って本発明によれば装着物の取付作業性が大幅に向上する。
【００２１】
ここで上記ばね部材はホルダとナットとにまたがって設けておくことができる（請求項２）。
このようにすれば、ホルダをナットを介し締結ボルトに螺合した状態を保ちつつ、ばね部材の弾性変形により傾動させることができ、またその弾性復元力によってホルダを再び締結ボルトに対し略直角となる姿勢に戻すことができる。
【００２２】
本発明においては、ホルダを複数用い、それらが協働して装着物とともに取付基体を挟み付けるようになすこともできるが、かかるホルダとして取付孔よりも寸法の大きいものを用いることができる（請求項３）。
このようにすれば単一のホルダを用いるだけで装着物の取付けができ、従って締結ボルトのねじ込みも１つのボルトについてだけ行うだけで良い利点が得られる。
【００２３】
本発明においては、上記ホルダの挿通孔にばね部材用の収容室を形成しておいて、そこにばね部材を収容しておくことができる（請求項４）。またかかるばね部材としてゴム弾性体を用いることができる（請求項５）。
この場合において、そのゴム弾性体から成るばね部材に上記ナットをインサートしておき、それらを一体に固着しておくことができる（請求項６）。
このようにすればばね部材の取付けが容易になり、またホルダにばね部材を容易に保持させておくことができる。
【００２４】
本発明は水平な取付基体に対し装着物を取り付けるに際して適用可能であるが、特に縦向きの壁に対し、横向きの取付孔において装着物を取り付ける際の取付構造として好適である（請求項７）。
また本発明は、浴水の外部循環用の循環口装置若しくはその構成部材を浴槽の縦向きの側壁に取り付けるための取付構造として特に好適である（請求項８）。
【００２５】
【実施例】
次に本発明の実施例を図面に基づいて詳しく説明する。
図１及び図２において１０は浴槽の側壁、１２は側壁１０に形成された取付孔であり、１４は側壁１０に浴水を外部循環させるための取出口及び戻し口を形成するための循環口装置である。
【００２６】
循環口装置１４はベース１６と本体１８とを有しており、それらがボルト２０にて組み付けられている。
ベース１６は嵌合突部２１を有しており、その嵌合突部２１が取付孔１２内に嵌合されている。またベース１６には環状のシール部材２２が取り付けられており、このシール部材２２によってベース１６と側壁１０との間が水密にシールされている。
【００２７】
この循環口装置１４は、図１（Ｂ）に示しているように浴水の取出通路２３と戻し通路２４とを有しており、それらに連通する状態で一対の導管２６が延び出している。
各導管２６の先端部には接続部２７が設けてあり、その接続部２７において外部配管と接続されるようになっている。
上記取出通路２３及び戻し通路２４は、それぞれ本体１８の外周面で浴槽内に開口しており、その開口を通じて浴水を外部に取り出し、又は外部循環した浴水を浴槽内へと戻すようになっている。
【００２８】
上記ベース１６にはボルトの挿通孔２８が形成されており、そこに締結ボルト２９が挿通されている。
尚締結ボルト２９と挿通孔２８とは、Ｏリング３０にて水密にシールされている。
３２は側壁１０の外側（裏側）に位置し、循環口装置１４とともに側壁１０を挟み付けて循環口装置１４を取付位置に保持するホルダであって、両端の幅広の当接部３４と、幅の狭い棒状の中間部３６とを有しており、それら当接部３４が側壁１０の外面に当接し、また中間部３６が図１（Ｂ）に示しているように一対の導管２６の間に位置している。
【００２９】
このホルダ３２には、図１（Ａ）の拡大図に示しているように挿通孔３８と、後述のナット４４の締付力を受ける受面４０とが形成されており、その挿通孔３８に上記締結ボルト２９が挿通されている。
ここで挿通孔３８と締結ボルト２９との間には、ホルダ３２の締結ボルト２９に対する傾動を可能とする隙間が形成されている。
【００３０】
挿通孔３８は、小径部４１と大径部４２とを有している。大径部４２は内側に収容室を形成していて、そこに締結ボルト２９に螺合されたナット４４とゴム弾性体（ばね部材）４６とを収容している。
ここでナット４４は、ゴム弾性体４６の成形時にインサートにより一体に固着されている。更にまた本例では、ゴム弾性体４６がホルダ３２の挿通孔３８の大径部４２内面に接着により固定されている。
【００３１】
挿通孔３８の上記大径部４２は、図１（Ａ）の拡大図に示しているようにテーパ形状をなしており、これによってホルダ３２がゴム弾性体４６の弾性変形を伴ってナット４４に対し傾動可能とされている。即ちホルダ３２がナット４４を介し締結ボルト２９に螺合した状態の下で、締結ボルト２９に対し傾動可能とされている。
但しホルダ３２は通常時はゴム弾性体４６により締結ボルト２９に対し略直角となる姿勢に保持されている。
【００３２】
図３及び図４は本例の取付構造における循環口装置１４の取付手順を示している。
図３（Ｉ）に示しているように、本例の取付構造にあっては締結ボルト２９にホルダ３２をナット４４を介して予め螺合しておき、その状態で締結ボルト２９及びホルダ３２を導管２６とともに側壁１０の取付孔１２に挿通する。
尚このとき、ホルダ３２はゴム弾性体４６によって締結ボルト２９に対し略直角となる姿勢に保持されている。
【００３３】
そして図３（II）に示しているようにホルダ３２が取付孔１２を通過する際、ホルダ３２に対して側壁１０により傾動力が加わると、その時点でホルダ３２はゴム弾性体４６の弾性変形を伴って締結ボルト２９に対し傾いた状態となる。
これによりホルダ３２は取付孔１２を容易に通過することができる。
【００３４】
取付孔１２を通過すると、同図（III）に示しているようにホルダ３２はゴム弾性体４６の復元力によって再び締結ボルト２９に対し略直角となる姿勢に自動的に復帰する。
その後締結ボルト２９を回転操作すると、図４（IV）に示しているように締結ボルト２９がナット４４に対し深くねじ込まれ、ここにおいてホルダ３２と循環口装置１４とが側壁１０を内外両側から強く挟み付ける状態に側壁１０に固定される。
【００３５】
以上のような本例の取付構造においては、ゴム弾性体４６の弾性変形によるホルダ３２の傾動によって容易にこれを取付孔１２を通過させることができる。
而して取付孔１２を通過した後においては、ホルダ３２はゴム弾性体４６の復元力によって当初の姿勢、即ち締結ボルト２９に対し略直角姿勢に戻るため、その後単に締結ボルト２９をナット４４に深くねじ込むだけで簡単に循環口装置１４を側壁１０に取付固定できる。
【００３６】
従って本例によれば、ホルダ３２を取付孔１２を通過させた後に締結ボルト２９に対して略直角となる姿勢に戻すための操作が不要であり、循環口装置１４の取付作業性が大幅に向上する。
【００３７】
また本例ではゴム弾性体４６をホルダ３２とナット４４とにまたがって設けていることから、ホルダ３２をナット４４を介し締結ボルト２９に螺合した状態を保ちつつゴム弾性体４６の弾性変形により傾動させ得、またその弾性復元力によってホルダ３２を再び締結ボルト２９に対し略直角となる姿勢に戻すことができる。
【００３８】
その他本例では、かかるホルダ３２として取付孔１２よりも寸法の大きいものを用いているため、単一のホルダ３２を用いるだけで循環口装置１４の取付けができ、従って締結ボルト２９のねじ込みも１つのボルトについてだけ行うだけで良い。
この例においては、ナット４４をインサートによりゴム弾性体４６に一体に固着しているため、ゴム弾性体４６の取付けが容易であり、またホルダ３２によるゴム弾性体４６の保持が容易である。
【００３９】
図５は本発明の他の実施例を示している。
この例において循環口装置１４は、上記第一の実施例におけるベースと本体とが一体に構成されている。そしてその循環口装置１４から締結ボルト２９が延び出しており、そこにホルダ３２がナット４４を介して螺合されている。
【００４０】
この例においても、図５（Ｄ）に示しているようにホルダ３２の挿通孔３８は小径部４１と大径部４２とを有している。
大径部４２は内側に収容室を形成していて、そこに締結ボルト２９に螺合されたナット４４と金属製の圧縮コイルスプリング（ばね部材）４８とを収容している。
スプリング４８はその一端をナット４４に当接させ、また他端をホルダ３２の環状溝に弾性的に嵌められたＥリング等の止め輪５０に当接させており、ナット４４とホルダ３２とに対し互いに逆向きの弾発力を及ぼしている。
【００４１】
本例の取付構造においても、ホルダ３２はスプリング４８の弾発力によって締結ボルト２９に対し略直角となる姿勢に保持されており、そして取付孔１２を通過する過程で側壁１０から傾動力が加わると、その時点でスプリング４８の弾性変形により締結ボルト２９に対し傾動する。そしてその傾動姿勢で取付孔１２を通過したところで、再びスプリング４８の復元力により当初の姿勢、即ち締結ボルト２９に対し略直角となる姿勢に復帰する。
尚他の点については上記実施例と同様である。
【００４２】
以上本発明の実施例を詳述したがこれはあくまで一例示である。
例えば本発明は浴槽の側壁に上記とは異なる形態の循環口装置又はその他の装置を取り付けるに際して適用可能であるし、或いは部屋の壁に手摺り等の装着物を取り付けるに際し適用することも可能である。
【００４３】
更にはカウンター等の水平な取付基体に対し水栓器具その他の物品を取り付けるに際して適用することも可能であるなど、本発明はその主旨を逸脱しない範囲において種々変更を加えた形態で構成可能である。
【図面の簡単な説明】
【図１】  本発明の一実施例である循環口装置の取付構造を示す図である。
【図２】  図１の取付構造を各部材に分解して示す図である。
【図３】  図１の取付構造における循環口装置の取付手順を示す図である。
【図４】  図３に続く取付手順を示す図である。
【図５】  本発明の他の実施例の取付構造を示す図である。
【図６】  本発明の背景説明のための説明図である。
【符号の説明】
１０  側壁
１２  取付孔
１４  循環口装置
２８，３８  挿通孔
２９  締結ボルト
３２  ホルダ
４０  受面
４４  ナット
４６  ゴム弾性体（ばね部材）
４８  スプリング（ばね部材）
【図１】
0004118464.tif 000002
【図２】
0004118464.tif 000003
【図３】
0004118464.tif 000004
【図４】
0004118464.tif 000005
【図５】
0004118464.tif 000006
【図６】
0004118464.tif 000007